(57)【要約】【課題】接続されるリードが断裂せず、パーソナルコンピュータなどの電子機器に挿入可能な方向が規制されないコネクタを提供する。【解決手段】コネクタは、ケース１０、端子ユニット２０、リード固定台３０を含む。ケース１０は、前端に固定台１１を有し、後端に枢着台１２を有する。枢着台１２には角度定位部１３が設けられる。端子ユニット２０は、ケース１０の固定台１１に固定される。リード固定台３０は、枢軸部３１を有し、ケース１０の枢着台１２に枢着される。枢軸部３１には定位部３２が設けられ、これにより、ケース１０に対してリード固定台３０を特定角度に旋回すると、リード固定台３０の定位部３２とケース１０の角度定位部１３とが相互に係合して特定角度を保持可能である。【選択図】図１
0003153070.tif 000002
【実用新案登録請求の範囲】
【請求項１】
前端に固定台が設けられ、後端に枢着台が設けられ、前記枢着台には角度定位部が設けられるケースと、
前記ケースの前記固定台に固定される端子ユニットと、
枢軸部を有し、前記ケースの前記枢着台に枢着され、前記枢軸部には定位部が設けられるリード固定台と、
を備え、
前記ケースに対して前記リード固定台を特定角度で旋回すると、前記リード固定台の前記定位部と、前記ケースの前記角度定位部と、が相互に係合して前記特定角度を保持することを特徴とするコネクタ。
【請求項２】
前記ケースは、上ケースと、下ケースと、から構成され、前記上ケースと前記下ケースとの前端の間には、前記端子ユニットを安定に挟み可能な固定台が形成され、前記上ケースと前記下ケースとの後端には、窪み形状を呈する枢着台が形成され、前記枢着台の両側の側壁には、軸穴がそれぞれ設けられ、前記二つの軸穴と、前記リード固定台の前記枢軸部の両端とはそれぞれ枢着され、前記端子ユニットに溶接されたリードが前記軸穴を経由して前記リード固定台に貫入されることを特徴とする請求項１に記載のコネクタ。
【請求項３】
前記ケースは、前記枢着台の少なくとも一側には角度定位部が複数設けられ、前記各角度定位部は、前記ケースと前記リード固定台の回動中心を中心として、同じ角度を置いて前記回動中心から放射するように配列されることを特徴とする請求項１に記載のコネクタ。
【請求項４】
前記ケースに設けられた角度定位部は凹み形状を呈し、前記リード固定台に設けられた定位部は突起形状を呈することを特徴とする請求項１に記載のコネクタ。
【請求項５】
前記ケースに設けられた角度定位部は突起形状を呈し、前記リード固定台に設けられた定位部は凹み形状を呈することを特徴とする請求項１に記載のコネクタ。
【請求項６】
前記リード固定台の前記枢軸部のサイドには穴が設けられ、前記リード固定台の後端にはリード貫入穴が設けられ、且つ前記リード貫入穴が前記穴と連通し、これにより、リードは、前記リード貫入穴と、前記穴と、前記ケースに設けられた前記軸穴と、を順次に経由して前記端子ユニットに溶接可能であることを特徴とする請求項２に記載のコネクタ。
【請求項７】
前記リード固定台の前記枢軸部の少なくとも一端には定位部が複数設けられ、前記各定位部は、前記ケースと前記リード固定台の回動中心を中心として、同じ角度を置いて前記回動中心から放射するように配列されることを特徴とする請求項１に記載のコネクタ。
【考案の詳細な説明】
【技術分野】
【０００１】
本考案は、多数の特定角度に旋回して定位可能なコネクタに関し、特に、ケースとリード固定台が相対に旋回して定位可能なコネクタに関するものである。
【背景技術】
【０００２】
従来の電子信号を転送するためのコネクタは、本体の前端には端子ユニットが嵌め設けられ、各端子ユニットに溶接されたリードが本体の後端から後方に伸びることが一般である。
【考案の概要】
【考案が解決しようとする課題】
【０００３】
しかし、これは次のような欠点があった。
（１）従来のコネクタは、その端子ユニットが本体から露出するリードと直列に配列されるので、このようなコネクタをパーソナルコンピュータ又は電子機器に水平に挿入すると、重力により本体から突出する部分が下方に垂れる。このようなコネクタはリードと本体の連接する箇所で撓み性を有するゴムが設けられる。したがって、長期にわたり大角度に曲折されると、コネクタと接続するリードが断裂し易い。
【０００４】
（２）端子ユニットが本体から露出するリードと直列に配列されるので、従来のコネクタのパーソナルコンピュータなどの電子機器に挿入可能の方向が規制される。
【０００５】
本考案の目的は、接続されるリードが断裂せず、パーソナルコンピュータなどの電子機器に挿入可能な方向が規制されないコネクタを提供することである。
【課題を解決するための手段】
【０００６】
上述の目的を達成するために、本考案の技術手段は次の通りである。
本考案の請求項１に記載のコネクタは、ケースと、端子ユニットと、リード固定台と、を含む。ケースは、その前端に固定台が設けられ、その後端に枢着台が設けられ、枢着台には角度定位部が設けられる。端子ユニットは、ケースの固定台に固定される。リード固定台は、枢軸部を有し、ケースの枢着台に枢着され、枢軸部には定位部が設けられる。これにより、ケースに対してリード固定台を特定角度で旋回すると、リード固定台の定位部と、ケースの角度定位部と、が相互に係合して特定角度に保持することを特徴とする。
【０００７】
本考案の請求項２に記載のコネクタによると、ケースは、上ケースと、下ケースと、から構成される。上ケースと下ケースとの前端の間には、端子ユニットを安定に挟み可能な固定台が形成される。上ケースと下ケースとの後端には、窪み形状を呈する枢着台が形成される。枢着台の両側の側壁には、軸穴がそれぞれ設けられ、二つの軸穴と、リード固定台の枢軸部の両端とはそれぞれ枢着される。端子ユニットに溶接されたリードは軸穴を経由してリード固定台に貫入される。
【０００８】
本考案の請求項３に記載のコネクタによると、ケースの枢着台の少なくとも一側には角度定位部が複数設けられ、各角度定位部は、ケースとリード固定台の回動中心を中心として、同じ角度を置いて回動中心から放射するように配列される。
【０００９】
本考案の請求項４に記載のコネクタによると、ケースに設けられた角度定位部は凹み形状を呈し、リード固定台に設けられた定位部は突起形状を呈する。
【００１０】
本考案の請求項５に記載のコネクタによると、ケースに設けられた角度定位部は突起形状を呈し、リード固定台に設けられた定位部は凹み形状を呈する。
【００１１】
本考案の請求項６に記載のコネクタによると、リード固定台は、枢軸部のサイドには穴が設けられ、リード固定台の後端にはリード貫入穴が設けられ、且つリード貫入穴が穴と連通し、これにより、リードは、リード貫入穴と、穴と、ケースに設けられた軸穴と、を順次に経由して端子ユニットに溶接可能である。
【００１２】
本考案の請求項７に記載のコネクタによると、リード固定台の枢軸部の少なくとも一端には定位部が複数設けられ、各定位部は、ケースとリード固定台の回動中心を中心として、同じ角度を置いて回動中心から放射するように配列される。
【考案の効果】
【００１３】
本考案のコネクタによれば、コネクタと接続するリードが断裂せず、パーソナルコンピュータなどの電子機器に挿入可能の方向が規制されないという効果を有する。
【図面の簡単な説明】
【００１４】
【図１】本考案の一実施形態の分解斜視図である。
【図２】本考案の一実施形態のケースとリード固定台が分離されている状態の模式図である。
【図３】図２の別の視点から見た模式図である。
【図４】本考案の一実施形態の組み立てられた状態の斜視図である。
【図５】本考案の一実施形態の回動可能なケースとリード固定台の使用状態を示す模式図である。
【考案を実施するための形態】
【００１５】
以下、本考案の実施の形態を図面に基づいて説明する。
まず、図１から図５を参照する。本考案の一実施形態によるコネクタは、ケース１０と、端子ユニット２０と、リード固定台３０と、を含む。ケース１０は、その前端には固定台１１が設けられ、その後端には枢着台１２が設けられ、枢着台１２には角度定位部１３が設けられる。端子ユニット２０は、ケース１０の固定台１１に固定される。リード固定台３０は、枢軸部３１が設けられ、ケース１０の枢着台１２に枢着され、枢軸部３１には定位部３２が設けられ、これにより、ケース１０に対してリード固定台３０を特定角度（例えば９０度、１３５度、１８０度、２２５度、又は２７０度）に旋回したと、リード固定台３０の定位部３２と、ケース１０の角度定位部１３と、が相互に係合して特定角度に保持する。
【００１６】
次に、図１から図３を参照する。本考案に係るケース１０は、上ケース１０ａと、下ケース１０ｂと、から構成される。上ケース１０ａと下ケース１０ｂとの前端の間には、端子ユニット２０を安定に挟み可能な固定台１１が形成され、上ケース１０ａと下ケース１０ｂとの後端には、窪み形状を呈する枢着台１２が形成される。枢着台１２の両側の側壁には、軸穴１２１がそれぞれ設けられ、二つの軸穴１２１には、リード固定台３０の枢軸部３１の両端がそれぞれ枢着され、且つ端子ユニット２０に溶接されたリードＬが軸穴１２１を経由してリード固定台３０に貫入される。
【００１７】
本考案の一実施形態によるコネクタのケース１０は、枢着台１２の少なくとも一側には角度定位部１３が複数設けられ、各角度定位部１３は、ケース１０とリード固定台３０の回動中心１００と中心として、同じ角度（例えば４５度）を置いて回動中心１００から放射するように配列され、これにより、リード固定台３０の定位部３２と、ケース１０の角度定位部１３と、が相互に係合して特定角度に保持可能である。
【００１８】
ケース１０に設けられた各角度定位部１３は、リード固定台３０に設けられた定位部３２に対応可能の何れかの形状を呈してもよく、例え凹み形状を呈してもいいし、突起形状を呈してもよい。
【００１９】
リード固定台３０は、枢軸部３１のサイドには穴３１１が設けられ、リード固定台３０の後端にはリード貫入穴３３が設けられ、且つリード貫入穴３３が穴３１１と連通し、これにより、リードＬは、リード貫入穴３３と、穴３１１と、ケース１０に設けられた軸穴１２１と、を順次に経由して端子ユニット２０に溶接可能である。
【００２０】
リード固定台３０の枢軸部３１の少なくとも一端には定位部３２が多数設けられ、各定位部３２は、ケース１０とリード固定台３０の回動中心１００と中心として、同じ角度（例えば４５度）を置いて回動中心１００から放射するように配列され、これにより、リード固定台３０の定位部３２と、ケース１０の角度定位部１３と、を相対に旋回する場合には、これらが相互に係合して特定角度に保持可能である。
【００２１】
本考案の一実施形態によるコネクタは、図５に示すように、リード固定台３０とケース１０とが回動中心１００を中心としてＲ方向に旋回するときに、特定角度に安定に停止することができるので、パーソナルコンピュータなどの電子機器への挿入が容易になり、リードＬの無理な曲折による断裂がなくなる。
【００２２】
本考案のコネクタは、ＨＤＭＩ型のコネクタに適用することができるし、その他の何れかのコネクタに適用することもできる。
【００２３】
本考案によるとリード固定台に設けられた各定位部は、ケースに設けられた角度定位部に対応可能の何れかの形状を呈してもよく、例え突起形状を呈してもいいし、凹み形状を呈してもよい。
【００２４】
このように、本考案について特定の例を参照して説明したが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことは明らかである。
【産業上の利用可能性】
【００２５】
本考案は、コネクタに適用することができる。
【符号の説明】
【００２６】
１０：ケース、１０ａ：上ケース、１０ｂ：下ケース、１１：固定台、１２：枢着台、１３：角度定位部、２０：端子ユニット、３０：リード固定台、３１：枢軸部、３２：定位部、３３：リード貫入穴、１００：回動中心、１２１：軸穴、３１１：穴、Ｌ：リード。
【図１】
0003153070.tif 000003
【図２】
0003153070.tif 000004
【図３】
0003153070.tif 000005
【図４】
0003153070.tif 000006
【図５】
0003153070.tif 000007